(57)【特許請求の範囲】
【請求項１】
弾性復元力のある材料で成形された回収カップの底部に吸引パイプを接続し、該回収カップをその上端開口縁が水上の浮上油面より僅かに上に出るように浮子によって浮上支持するとともに、該回収カップの上端開口縁を変形させるアクチュエータを設け、該アクチュエータの作動により該上端開口縁を間歇的に変形させることにより、浮上油を該回収カップ中に流入させるようにしたことを特徴とする浮上油回収装置。
【請求項２】
浮上油を回収カップの周囲に寄せ集めるためのインペラーを設けたことを特徴とする請求項１に記載の浮上油回収装置。
【発明の詳細な説明】
【０００１】
【発明の属する技術分野】
本発明は水面に浮上する油を回収する装置に関するものである。
【０００２】
【従来の技術】
工場排水，生活排水等に浮遊する油、或いはタンカー事故によって海上に広がった油等を回収するための浮上油回収装置は、油を吸着材に吸着させる形態のもの、或いは油をポンプによって吸引するもの等が従来から知られている。しかし従来の装置は回収効率が悪く、特にポンプにより吸引するものでは、その吸引ホースの先端を寄せ集められた浮上油中に浸漬させるだけ構造であったので、油だけでなく水も多量に吸引されてしまう欠点があり回収効率が悪いものであった。
【０００３】
【発明が解決しようとする課題】
本発明は上記課題を解決し、可及的に浮上油のみが分離回収されるようにした浮上油回収装置を提供しようとするものである。
【０００４】
【課題を解決するための手段】
そのために本発明に係る浮上油回収装置は、弾性復元力のある材料で成形された回収カップの底部に吸引パイプを接続し、該回収カップをその上端開口縁が水上の浮上油面より僅かに上に出るように浮子によって浮上支持するとともに、該回収カップの上端開口縁を変形させるアクチュエータを設け、該アクチュエータの作動により該上端開口縁を間歇的に変形させることにより、浮上油を該回収カップ中に流入させるようにしたことを特徴とする。
また、本発明は上記浮上油回収装置において、浮上油を回収カップの周囲に寄せ集めるためのインペラーを設けたことを特徴とする。
【０００５】
【発明の実施の形態】
次に図面に従い本発明の実施の形態を説明する。図１は本発明に係る浮上油回収装置の縦断面図、図２は平面図、図３は図１のＡ−Ａ線断面図である。図中、１は周囲４個所にアーム２が設けられ、該各アームの下端に夫々浮子３が設けられ、その浮力によって水面上に水平に浮かぶように支持されたフレーム、４は該フレーム上に回転出力軸５を下方に突出させて固着したアクチュエータたるエアーモータである。
【０００６】
６は該回転出力軸５に固着された筒状体、７は該筒状体をコロ軸受８，９により回転自在に支持するためフレーム４の下面に固着された軸受支持体、１０は該筒状体の外周にナット１１によって固着された回転体、１２は該回転体の外周部に設けられた水封用パッキン、１３は筒状体６の下端部に設けられた水封用パッキンである。図３，４に示したように回転体１０の外周部下面の軸対称位置には一対の支軸１４が固着され、該各支軸の下端に押圧ローラ１５が回転自在に設けられている。回転体１０の外周部には４枚のインペラー１６が放射状に設けられている。なお該各インペラー１６の先端部１７は回転方向に向かって屈折していて図示したようにその先端部のみが水面（油面）に浸かっている。
【０００７】
また、筒状体６中にはさらにコロ軸受４０，４１が設けられ、該軸受を介して支持軸１８が垂下状に吊下されている。１９は該支持軸の上端部に固着された取付用ナットである。また、２０はポリエチレン，ウレタン等のプラスチック、またはハガネ鋼等の弾性復元力のある材料で成形された回収カップである。該回収カップ２０は常態ではその上端開口縁２１が水上の浮上油面２２より僅かに上に出るように支持軸１８の下端部にナット２３により固着されている。２４はこの回収カップ２０の固着部に設けられた連結筒である。２５は支持軸１８の下端にエルボ２６を介して接続された吸引パイプで、該パイプは該支持軸１８および連結筒２４に穿設された通孔２７，２８をもって該回収カップ２０中に連通している。２９はフレーム１に設けられたホース連結部で、該連結部に繋いだホース４４の先端を真空吸引ポンプ（図示せず）に連結する。
【０００８】
また、３０は支持軸１８の外周にスライド筒３１を介して上下に摺動自在に外嵌された上下動盤、３２は該上下動盤の上面に固着された円盤状のカム板、３３は図３，４に示したように該カム板の上面の対称位置２個所に前記押圧ローラ１５と相対するように突設されたカム隆起である。また、回収カップ２０の上端開口縁の軸対称位置に連結片３４を固着し、該連結片と上下動盤３０の外周部とをリンク３５によって連結している。３７，３８は該リンクの両端部にその連結のために貫挿されたピンである。また、４２，４３は上下動盤３０を上下に摺動自在なるように支持するため支持軸１８に外嵌されたコイルバネと該コイルバネを支持する筒体である。
【０００９】
このように構成された浮上油回収装置では、アクチュエータ４の回転出力軸５が３０〜１００ｒｐｍ程度で低速回転することにより、インペラー１６が矢印の方向に回転し、浮上油を回収カップの周囲に寄せ集めるとともに、回転体１０が約半回転する度に図４に示したように押圧ローラ１５がカム隆起３３に乗り上げるので、上下動盤３０がコイルバネ４２の弾性に抗して下動し、リンク３４によって回収カップ２０の上端開口縁を外方に間歇的に変形させる。このため、該上端開口縁が水上の浮上油面２２より下がり浮上油を該回収カップ２０中に流入させる。そして回収カップ２０中に流入した浮上油は吸引パイプ２５によって直ちに吸い上げられる。
【００１０】
このように本発明に係る浮上油回収装置は、アクチュエータ４の作動により回収カップ２０の上端開口縁を外方に間歇的に変形させ、該上端開口縁を水上の浮上油面２２より下げることによって、浮上油を該回収カップ中に流入させるようにしたので、浮上油をその上層部から流入させることができ、下層の水が混入する割合を著しく下げることができ、浮上油のみを確実に回収できる。なお、この作動が間歇的であることで、回収カップの周囲に寄せ集められた浮上油層の厚さが厚くなったところでこれを回収できる。
【００１１】
なお、本発明の浮上油回収装置は、海上に広がった油を回収するだけでなく、洗浄機，焼入機械，工作機械，食品加工機，塗装装置等から水とともに排出された機械油，焼入油，食用油、或いは浮上塗料カス等を回収するのに使用できる。またこの実施形態ではアクチュエータとしてエアーモータを使用しインペラーを回転させるようにしたが、インペラーは用途によっては必ずしも必要としない。また、エアーモータ以外の他の動力源も使用できることは言うまでもない。
【００１２】
【発明の効果】
このように本発明の浮上油回収装置によれば、浮上油のみを容易に分離回収することができるので、回収効率を向上させる有益な効果がある。
【図面の簡単な説明】
【図１】本発明に係る浮上油回収装置の実施形態を示した縦断面図。
【図２】図１の浮上油回収装置の平面図。
【図３】図１のＡ−Ａ線断面図。
【図４】図１の作動状態図。
【符号の説明】
１        フレーム
３        浮子
４        アクチュエータ
１０      回転体
１５      押圧ローラ
１６      インペラー
１８      支持軸
２０      回収カップ
２１      上端開口縁
２２      浮上油面
２５      吸引パイプ
３０      上下動盤
３２      カム板
３３      カム隆起
３５      リンク
【図１】
0004256987.tif 000002
【図２】
0004256987.tif 000003
【図３】
0004256987.tif 000004
【図４】
0004256987.tif 000005